(57)【要約】【課題】  空間を区画する間仕切パネルあるいは机天板と脚体等と組み合わせてパネルデスクシステムを構成するパネルの上端部に、天然又は人工の観葉植物を飾るプラントボックスを、パネルに何ら追加加工を施さずに簡単且つ強固に取付けることができ、また簡単に取外すこともでき、しかも既設のパネルに後施工によって取付けることが可能なパネルにおけるプラントボックスの取付装置を提供する。【解決手段】  パネル１は笠木７と表裏パネル板５，５の上縁間の横目地１０にそれぞれ一定間隔毎に係合孔１１が形成された構造であり、表裏両側から一対又は複数対の取付ブラケット３，３を係合孔に係止するとともに、両取付ブラケットにプラントボックス２の底面部１２をネジ１３で引き付けて該プラントボックスの底面を笠木に圧接して取付ける。【選択図】        図２
2013119734.tif 000002
【特許請求の範囲】
【請求項１】
空間を区画する間仕切パネルあるいは机天板と脚体等と組み合わせてパネルデスクシステムを構成するパネルの上端部にプラントボックスを取付けてなるパネルにおけるプラントボックスの取付装置であって、前記パネルは笠木と表裏パネル板の上縁間の横目地に係合手段が形成された構造であり、表裏両側から一対又は複数対の取付ブラケットを前記係合手段に係止するとともに、両取付ブラケットに前記プラントボックスの底面部をネジで引き付けて該プラントボックスの底面を前記笠木に圧接して取付けることを特徴とするパネルにおけるプラントボックスの取付装置。
【請求項２】
前記パネルは、前記横目地にそれぞれ一定間隔毎に係合孔が形成された構造であり、前記取付ブラケットは、前記係合孔内に挿入して係止する係合部と、該係合部から前記笠木の側面を迂回して立ち上がる立脚部と、該立脚部の上端に前記笠木の上面に対向して延びる受部とを備え、前記プラントボックスの底面板には表裏に対となった両取付ブラケットの受部を受け入れる開口部と、該開口部の上位に間隔を置いて補強板を設け、該補強板に設けた一対の取付孔に上方から挿入したネジを、それぞれ前記両取付ブラケットの受部に形成した螺孔に螺合して引き付け、もってプラントボックスの底面板を前記笠木の上面に圧接してなる請求項１記載のパネルにおけるプラントボックスの取付装置。
【請求項３】
前記プラントボックスは、前記パネルに沿って長尺の前記底面板の４辺から側面板を立起させた上方開放のボックス本体と、前記底面板の上面に固着した補強部材とからなり、該補強部材は、中央部に上方へ断面略コ字形に突出した台座部と、その両側に前記底面板の上面に固着する固定部とを有し、前記台座部の上面を構成する補強板に形成した前記取付孔が長手方向に延びた長孔である請求項２記載のパネルにおけるプラントボックスの取付装置。
【請求項４】
前記プラントボックスの横幅をパネルの厚さよりも広く設定するとともに、前記補強部材の台座部の横幅を前記笠木の上面の横幅よりも狭く設定し、表裏一対の取付ブラケットの受部を受け入れる前記開口部に対応して前記補強部材の両固定部に切欠部を形成してなる請求項３記載のパネルにおけるプラントボックスの取付装置。
【発明の詳細な説明】
【技術分野】
【０００１】
本発明は、パネルにおけるプラントボックスの取付装置に係わり、更に詳しくはローパーティションを構成するパネルの上端にプラントボックスを取付けるための取付装置に関するものである。
【背景技術】
【０００２】
従来から空間を間仕切るパネルの一部に、天然又は人工の観葉植物を飾るプラントユニットを設けることは公知である。例えば、特許文献１には、衝立パネルと衝立パネルの連繋具の間にプラントユニットを連結して自立可能とした衝立パネル装置が開示されている。このプラントユニットは、床面に設置し、その設置面積が大きいことを利用して衝立パネルを支持するために設けたものであり、高さも衝立パネルと略同じになっている。
【０００３】
特許文献２には、プラントパネルの表裏一側面に、間隔を隔てた左右一対の第１板状体をその一側端をプラントパネルに対して直角に連結するとともに、両第１板状体の間に棚板を支持し、更に両第１板状体の他側端に第２板状体を垂直に取付け、前記パネル、両第１板状体、第２板状体及び棚板で上方開放したプラントボックスを形成したプラントパネル装が開示されている。このプラントパネル装置は、プラントパネルを直線状に連結するとともに、隣接して対向する両第１板状体の間に棚板を保持して連続的に構築することを特徴としている。
【０００４】
また、特許文献３には、パネルフレームの両縦枠に表裏両面から開口部を有する枠体を取付け、表裏枠体の下部に外側へ張り出して設けたプラント受けと、両縦枠間に横設した横桟を底面部材としてプラントボックスを構成した間仕切パネルが開示されている。
【０００５】
しかし、何れの特許文献記載のプラントボックスも、間仕切パネル自体を構成要素とするものであり、既設のローパーティションを構成する間仕切パネルに対して、プラントボックスを簡単に取付け、あるいは取外しできるものではない。
【先行技術文献】
【特許文献】
【０００６】
【特許文献１】実用新案登録第２５６７８８９号公報
【特許文献２】特開平０９−１４４１７２号公報
【特許文献３】意匠登録第１３１４０３３号公報
【発明の概要】
【発明が解決しようとする課題】
【０００７】
そこで、本発明が前述の状況に鑑み、解決しようとするところは、空間を区画する間仕切パネルあるいは机天板と脚体等と組み合わせてパネルデスクシステムを構成するパネルの上端部に、天然又は人工の観葉植物を飾るプラントボックスを、パネルに何ら追加加工を施さずに簡単且つ強固に取付けることができ、また簡単に取外すこともでき、しかも既設のパネルに後施工によって取付けることが可能なパネルにおけるプラントボックスの取付装置を提供する点にある。
【課題を解決するための手段】
【０００８】
本発明は、前述の課題解決のために、空間を区画する間仕切パネルあるいは机天板と脚体等と組み合わせてパネルデスクシステムを構成するパネルの上端部にプラントボックスを取付けてなるパネルにおけるプラントボックスの取付装置であって、前記パネルは笠木と表裏パネル板の上縁間の横目地に係合手段が形成された構造であり、表裏両側から一対又は複数対の取付ブラケットを前記係合手段に係止するとともに、両取付ブラケットに前記プラントボックスの底面部をネジで引き付けて該プラントボックスの底面を前記笠木に圧接して取付けることを特徴とするパネルにおけるプラントボックスの取付装置を構成した（請求項１）。
【０００９】
ここで、前記パネルは、前記横目地にそれぞれ一定間隔毎に係合孔が形成された構造であり、前記取付ブラケットは、前記係合孔内に挿入して係止する係合部と、該係合部から前記笠木の側面を迂回して立ち上がる立脚部と、該立脚部の上端に前記笠木の上面に対向して延びる受部とを備え、前記プラントボックスの底面板には表裏に対となった両取付ブラケットの受部を受け入れる開口部と、該開口部の上位に間隔を置いて補強板を設け、該補強板に設けた一対の取付孔に上方から挿入したネジを、それぞれ前記両取付ブラケットの受部に螺合して引き付け、もってプラントボックスの底面板を前記笠木の上面に圧接してなることが好ましい（請求項２）。
【００１０】
また、前記プラントボックスは、前記パネルに沿って長尺の前記底面板の４辺から側面板を立起させた上方開放のボックス本体と、前記底面板の上面に固着した補強部材とからなり、該補強部材は、中央部に上方へ断面略コ字形に突出した台座部と、その両側に前記底面板の上面に固着する固定部とを有し、前記台座部の上面を構成する補強板に形成した前記取付孔が長手方向に延びた長孔であることがより好ましい（請求項３）。
【００１１】
そして、前記プラントボックスの横幅をパネルの厚さよりも広く設定するとともに、前記補強部材の台座部の横幅を前記笠木の上面の横幅よりも狭く設定し、表裏一対の取付ブラケットの受部を受け入れる前記開口部に対応して前記補強部材の両固定部に切欠部を形成してなることも好ましい（請求項４）。
【発明の効果】
【００１２】
以上にしてなる請求項１に係る発明のパネルにおけるプラントボックスの取付装置は、空間を区画する間仕切パネルあるいは机天板と脚体等と組み合わせてパネルデスクシステムを構成するパネルの上端部にプラントボックスを取付けてなるパネルにおけるプラントボックスの取付装置であって、前記パネルは笠木と表裏パネル板の上縁間の横目地に係合手段が形成された構造であり、表裏両側から一対又は複数対の取付ブラケットを前記係合手段に係止するとともに、両取付ブラケットに前記プラントボックスの底面部をネジで引き付けて該プラントボックスの底面を前記笠木に圧接して取付けるので、パネルに何ら追加加工を施さずにプラントボックスを簡単且つ強固に取付けることができ、また簡単に取外すこともでき、しかも既設のパネルに後施工によって容易に取付けることができる。
【００１３】
請求項２によれば、前記パネルは、前記横目地にそれぞれ一定間隔毎に係合孔が形成された構造であり、前記取付ブラケットは、前記係合孔内に挿入して係止する係合部と、該係合部から前記笠木の側面を迂回して立ち上がる立脚部と、該立脚部の上端に前記笠木の上面に対向して延びる受部とを備え、前記プラントボックスの底面板には表裏に対となった両取付ブラケットの受部を受け入れる開口部と、該開口部の上位に間隔を置いて補強板を設け、該補強板に設けた一対の取付孔に上方から挿入したネジを、それぞれ前記両取付ブラケットの受部に形成した螺孔に螺合して引き付け、もってプラントボックスの底面板を前記笠木の上面に圧接してなるので、パネルの表裏両側の係合孔にそれぞれ両取付ブラケットの係合部を挿入して係止した状態で、両取付ブラケットの受部をプラントボックスの底面板に形成した開口部に受け入れるとともに、補強板の取付孔に上方から挿入したネジをそれぞれ受部の螺孔に螺合して、受部を補強板に接近するように引き付け、それによってプラントボックスの底面板を笠木の上面に圧接することができ、また両取付ブラケットの立脚部で笠木を表裏両側から挟み込んだ状態となるので、ガタツキなく強固に取付けることができる。
【００１４】
請求項３によれば、前記プラントボックスは、前記パネルに沿って長尺の前記底面板の４辺から側面板を立起させた上方開放のボックス本体と、前記底面板の上面に固着した補強部材とからなり、該補強部材は、中央部に上方へ断面略コ字形に突出した台座部と、その両側に前記底面板の上面に固着する固定部とを有するので、プラントボックスは補強部材によって底面部が補強され、補強部材の台座部を構成する補強板に取付ブラケットの受部を引き付けるので、取付強度が高くなり、また前記台座部の上面を構成する補強板に形成した前記取付孔が長手方向に延びた長孔としたので、プラントボックスのパネルの長手方向に沿った取付位置を微調節することができ、それによりプラントボックスとパネルの端部とが調和の取れた配置にすることができる。また、前記補強部材の台座部に、天然又は人工の観葉植物の鉢を安定に載置することができる。
【００１５】
請求項４によれば、前記プラントボックスの横幅をパネルの厚さよりも広く設定するとともに、前記補強部材の台座部の横幅を前記笠木の上面の横幅よりも狭く設定し、表裏一対の取付ブラケットの受部を受け入れる前記開口部に対応して前記補強部材の両固定部に切欠部を形成してなるので、少なくとも前記補強部材の両固定部の一部が笠木の上面に位置するので、プラントボックスの底面板を笠木の上面に強く圧接した際にも、底面部が変形することがない。
【図面の簡単な説明】
【００１６】
【図１】本発明を適用してパネルデスクシステムのパネル上端にプラントボックスを取付けた状態の斜視図である。
【図２】同じく本発明の要部を示す一部省略した分解斜視図である。
【図３】パネルの横枠に形成した係合孔と取付ブラケットの関係を示す分解斜視図である。
【図４】プラントボックスの部分平面図である。
【図５】取付ブラケットを示す、（ａ）は正面図、（ｂ）は側面図、（ｃ）は斜視図である。
【図６】パネルの上端にプラントボックスを取付けた状態の部分平面図である。
【図７】図６のＸ−Ｘ線断面図である。
【発明を実施するための形態】
【００１７】
次に、添付図面に示した実施形態に基づき、本発明を更に詳細に説明する。図１は本発明のパネルにおけるプラントボックスの取付装置をパネルデスクシステムに適用した実施形態を示し、図２〜図７はその詳細を示し、図中符号１は間仕切パネル、２はプラントボックス、３は取付ブラケットをそれぞれ示している。
【００１８】
前記間仕切パネル１は、図１及び図２に示すように、フレーム４の表裏両面にパネル板５，５を取付けるとともに、フレーム４の上端の横枠６に笠木７を取付けた構造である。そして、前記間仕切パネル１の縦枠の係止孔（共に図示せず）を利用して脚体８，８を取付けるとともに、両脚体８，８に机天板９を載置して連結することで当該間仕切パネル１と一体となったデスクを構成できるものである。
【００１９】
そして、前記間仕切パネル１には、図２及び図３に示すように、前記笠木７と表裏パネル板５，５の上縁間の横目地１０に臨む前記横枠６に、係合手段としてそれぞれ一定間隔毎に係合孔１１，…が形成されている。前記横枠６の表側と裏側の同じ位置に対となって横長の係合孔１１，１１が形成されている。尚、前記間仕切パネル１は表裏対称であるので、裏表はないが、便宜上、手前側を表側とし、反対側を裏側としている。本実施形態の間仕切パネル１は、前記笠木７の横幅を間仕切パネル１の全体の厚さ、つまり表裏パネル板５，５の表面間隔よりも狭く設定したものである。
【００２０】
本発明は、前記間仕切パネル１の表裏両側から一対又は複数対の取付ブラケット３，３を前記係合孔１１，１１に係止するとともに、両取付ブラケット３，３に前記プラントボックス２の底面部１２をネジ１３，１３で引き付けて該プラントボックス２の底面を前記笠木７に圧接して取付けるのである。本発明で対象とする間仕切パネル１は、いわゆるローパーティションに属するものであるが、笠木７の下側に沿って複数の係合孔１１，…が存在する構造であれば、どのようなものでも構わない。
【００２１】
更に詳しくは、前記取付ブラケット３は、図２、図３及び図５に示すように、前記係合孔１１内に挿入して係止する係合部１４と、該係合部１４から前記笠木７の側面を迂回して立ち上がる立脚部１５と、該立脚部１５の上端に前記笠木７の上面に対向して延びる受部１６とを備え、該受部１６には螺孔１７を形成している。前記取付ブラケット３は、金属板を板金加工したものであり、全体的に側面視略コ字形の形状をしており、前記係合部１４は、前記係合孔１１に隙間なく係合する横幅を有する爪部１４Ａと係合孔１１よりも横幅が広い基部１４Ｂとからなっており、爪部１４Ａは断面Ｌ字形で先端が前記横枠６の内部上面に当接するようになっている。
【００２２】
前記プラントボックス２は、図２、図４、図６及び図７に示すように、前記間仕切パネル１に沿って長尺の前記底面板１８の４辺から側面板１９を立起させた上方開放のボックス本体２Ａと、前記底面板１８の上面に固着した補強部材２Ｂとからなっている。前記補強部材２Ｂは、中央部に上方へ断面略コ字形に突出した台座部２０と、その両側に前記底面板１８の上面に固着する固定部２１，２１とを有し、前記台座部２０の上面を構成する補強板２２と前記ボックス本体２Ａの底面板１８との間には間隔を設けている。前記プラントボックス２の底面部１２は、前記底面板１８と補強部材２Ｂとで構成されている。
【００２３】
そして、前記プラントボックス２の底面板１８には、表裏に対となった両取付ブラケット３，３の受部１６，１６を受け入れる開口部２３を形成し、該開口部２３の上位に間隔を置いて設けた前記補強板２２に、前記各受部１６の螺孔１７に対応して取付孔２４，２４を形成している。前記取付孔２４は、前記間仕切パネル１の長手方向に延びた長孔である。また、図７に示すように、前記プラントボックス２の横幅を間仕切パネル１の厚さよりも広く設定するとともに、前記補強部材２Ｂの台座部２０の横幅を前記笠木７の上面の横幅よりも狭く設定し、表裏一対の取付ブラケット３の受部１６を受け入れる前記開口部２３に対応して前記補強部材２Ｂの両固定部２１，２１に切欠部２５，２５を形成している。
【００２４】
そこで、前記間仕切パネル１の上端部に沿って前記プラントボックス２を取付けるには、先ず前記笠木７と表裏のパネル板５，５間に形成された横目地１０，１０に臨む表裏一対の前記係合孔１１，１１に、それぞれ前記取付ブラケット３の係合部１４を挿入して仮保持し、この一対又は複数対の取付ブラケット３，３の受部１６，１６を、前記プラントボックス２の底面板１８に形成した開口部２３と補強部材２Ｂに形成した切欠部２５，２５に受け入れ、前記補強板２２に設けた一対の取付孔２４，２４に山形座金２６，２６を介して上方からネジ１３，１３を挿入し、それぞれ前記両取付ブラケット３，３の受部１６，１６に形成した螺孔１７，１７に螺合して該受部１６を補強板２２に引き付け、もってプラントボックス２の底面板１８を前記笠木７上面に圧接して取付けるのである。複数対の取付ブラケット３，３を用いる場合にも、該取付ブラケット３の係合部１４を横枠６の係合孔１１に挿入するだけで、爪部１４Ａの先端が横枠６の内部上面に当接して姿勢を自己保持できるので、各取付ブラケット３を手で押える必要がなく、作業が簡単になる。一方、前記プラントボックス２を取外すには、前記ネジ１３，…を外してプラントボックス２を持ち上げるだけでよい。
【００２５】
ここで、前記プラントボックス２を複数対の取付ブラケット３，３で前記間仕切パネル１の上端部に取付けた状態では、前記取付ブラケット３，３の立脚部１５，１５で前記笠木７を表裏から抱き込み、また前記取付ブラケット３の係合部１４の爪部１４Ａが前記横枠６の係合孔１１に係合しているので、水平面内の移動が確実に規制されている。また。前記ネジ１３により、前記取付ブラケット３の受部１６を補強板２２に引き付け、前記プラントボックス２の底面板１８を前記笠木７に強く圧接しても、前記補強部材２Ｂの両固定部２１，２１の少なくとも一部が該笠木７の上面に位置するので、底面部１２が変形することがない。
【００２６】
図６は、コーナーポスト２７を介して間仕切パネル１，１を直角に連結したコーナー部の近傍に前記プラントボックス２を取付けた例を示している。この場合、前記取付孔２４を長孔としてので、前記プラントボックス２の取付位置を微調節することができ、全体の調和がとれた配置にすることができる。
【００２７】
そして、前記プラントボックス２には、天然又は人工の観葉植物の鉢を前記補強部材２Ｂの台座部２０に載置して使用する。尚、本実施形態の前記プラントボックス２は、防水性はないので、天然の観葉植物の鉢を飾る場合には、鉢受けを介して台座部２０に載置する。
【符号の説明】
【００２８】
１  間仕切パネル、          ２  プラントボックス、
２Ａ  ボックス本体、        ２Ｂ  補強部材、
３  取付ブラケット、        ４  フレーム、
５  パネル板、              ６  横枠、
７  笠木、                  ８  脚体、
９  机天板、                １０  横目地、
１１  係合孔（係合手段）、  １２  底面部、
１３  ネジ、                １４  係合部、
１４Ａ  爪部、              １４Ｂ  基部、
１５  立脚部、              １６  受部、
１７  螺孔、                １８  底面板、
１９  側面板、              ２０  台座部、
２１  固定部、              ２２  補強板、
２３  開口部、              ２４  取付孔、
２５  切欠部、              ２６  山形座金、
２７  コーナーポスト。
【図１】
2013119734.tif 000003
【図２】
2013119734.tif 000004
【図３】
2013119734.tif 000005
【図４】
2013119734.tif 000006
【図５】
2013119734.tif 000007
【図６】
2013119734.tif 000008
【図７】
2013119734.tif 000009